(57)【要約】【課題】製造が容易であり、かつ製造コストを低減することが可能な弾球遊技機用入賞装置および弾球遊技機を提供する。【解決手段】入賞装置３０は、遊技基板２３に取り付けるベース基板３１と、該ベース基板３１の表面に設けられ、遊技球を受け入れ可能な状態と遊技球を受け入れ不能な状態との間で切換可能な可動部材３７を有する大入賞口３２とを有し、ベース基板３１とガイドレール（例えば内側ガイドレール２４ａ）を一体的に形成する。入賞装置３０およびガイドレール等を遊技基板２３に取り付けて遊技盤２０を製造する。【選択図】          図１
2004248875.tif 000002
【特許請求の範囲】
【請求項１】
遊技基板の表面に遊技球を誘導する略円弧状のガイドレールを設けるとともに、該ガイドレールで囲まれた遊技領域内に遊技球を受け入れる複数の入賞口を設けた弾球遊技機に用いる入賞装置であって、
前記遊技基板に取り付けられるベース基板と、
該ベース基板の表面に設けられ、遊技球を受け入れ可能な状態と遊技球を受け入れ不能な状態との間で切換可能な可動部材を有する大入賞口とを有し、
前記ベース基板と前記ガイドレールとを一体的に形成したことを特徴とする弾球遊技機用入賞装置。
【請求項２】
遊技球を受け入れ易い状態と遊技球を受け入れ難い状態との間で切換可能な可動片を有するとともに、遊技球が入賞したことを条件として複数種類の図柄を変動表示可能な図柄表示装置における図柄の変動表示を開始させる始動入賞口を、前記ベース基板と一体的に形成したことを特徴とする請求項１記載の弾球遊技機用入賞装置。
【請求項３】
遊技球を受け入れる一般入賞口と、遊技球の通過を検出する通過ゲートの少なくとも一方を、前記ベース基板と一体的に形成したことを特徴とする請求項１または２記載の弾球遊技機用入賞装置。
【請求項４】
透光性領域を有し、請求項１〜３のうちいずれか１項記載の入賞装置が配設された遊技基板を備える弾球遊技機であって、
前記遊技基板の前記透光性領域において表裏方向に貫通する貫通孔を設け、
前記貫通孔の背面側に、裏球通路を形成する裏球通路部材を配設するとともに、
前記貫通孔の前面側に、前記入賞装置を配設したことを特徴とする弾球遊技機。
【請求項５】
透光性領域を有し、請求項１〜３のうちいずれか１項記載の入賞装置が配設された遊技基板を備える弾球遊技機であって、
前記入賞装置を前記遊技基板の前面側から配設し、
前記遊技基板に、前記入賞装置に入賞した遊技球を受け入れるための開口部を設けるとともに、前記開口部内に受け入れられた遊技球を前記遊技基板の外部へ導くための球通路を形成したことを特徴とする弾球遊技機。
【発明の詳細な説明】
【０００１】
【発明の属する技術分野】
本発明は、入賞装置および該入賞装置を用いた弾球遊技機に関する。
【０００２】
【従来の技術】
従来、パチンコ機に代表される弾球遊技機は、遊技球を弾発して遊技を行う遊技盤を備えている。そして、遊技盤の表面に略円弧状のガイドレールで囲まれた遊技領域を形成し、遊技領域内には、障害部材である風車や、一般入賞口、始動入賞口、大入賞口、および通過ゲート等の入賞装置が配設されている（例えば、特許文献１参照）。
【０００３】
また、透光性を有する樹脂製板等により製造された遊技盤の場合には、入賞装置に設けた機構材やセンサ等の配線を隠蔽するために、遊技盤の表面に不透明印刷層を有するシート材を貼付したり（例えば、特許文献２参照）、入賞装置の基板をガイドレールまで延伸していた。
【０００４】
【特許文献１】
特開２００２−５２１５８号公報
【０００５】
【特許文献２】
特開２０００−４２１８１号公報
【０００６】
【発明が解決しようとする課題】
しかしながら、上述した従来の弾球遊技機では、遊技盤を製造する際に、遊技盤の表面に障害部材および入賞装置を１つずつ嵌め込むための作業が必要であった。このため、製造工程が複雑となり、製造コストが上昇するという問題があった。
【０００７】
また、透光性を有する板状部材により遊技盤を製造する場合には、入賞装置に設けた機構材やセンサ等の配線を隠蔽するために、高い寸法精度が要求される。すなわち、シート材や基板等からなる不透明部材とガイドレールとの間の寸法が設計通りでない場合には、不透明部材とガイドレールが重なってしまったり、あるいは不透明部材とガイドレールの間に透明部分が残り、上記機構材やセンサ等の配線が見えてしまい、遊技盤の見栄えが悪くなるという問題があった。また、最悪の場合には、部品同士が干渉し合って、遊技盤に対して入賞装置を嵌め込むことができないおそれもあった。
【０００８】
本発明は、上述した事情に鑑み提案されたもので、製造が容易であり、かつ製造コストを低減することが可能な弾球遊技機用入賞装置および弾球遊技機を提供することを目的とする。
【０００９】
さらに、本発明は、透光性を有する板状部材により遊技盤を製造した場合に、容易かつ確実に、入賞装置に設けた機構材やセンサ等の配線を隠蔽することが可能な弾球遊技機用入賞装置および弾球遊技機を提供することを目的とする。
【００１０】
【課題を解決するための手段】
本発明に係る弾球遊技機用入賞装置および弾球遊技機は、上述した目的を達成するため、以下の特徴点を備えている。なお、本発明に係る弾球遊技機用入賞装置および弾球遊技機の各構成要素について、図面に付した符号を参照して、具体的な適用例を示すが、各構成要素はこれらに限定されるものではない。
【００１１】
すなわち、本発明に係る弾球遊技機用入賞装置（３０）は、遊技基板（２３）の表面に遊技球を誘導する略円弧状のガイドレール（２４ａ，２４ｂ）を設けるとともに、該ガイドレール（２４ａ，２４ｂ）で囲まれた遊技領域（２１）内に遊技球を受け入れる複数の入賞口を設けた弾球遊技機（例えば、パチンコ機１）に用いる入賞装置（３０）であって、
前記遊技基板（２３）に取り付けられるベース基板（３１）と、
該ベース基板（３１）の表面に設けられ、遊技球を受け入れ可能な状態と遊技球を受け入れ不能な状態との間で切換可能な可動部材（３７）を有する大入賞口（３２）とを有し、
前記ベース基板（３１）と前記ガイドレール（例えば、内側ガイドレール２４ａ）とを一体的に形成したことを特徴とするものである。
【００１２】
このような構成からなる弾球遊技機用入賞装置（３０）では、一体的に形成された入賞装置（３０）およびガイドレール（内側ガイドレール２４ａ）を遊技基板（２３）に対して同時に取り付けることができるので、弾球遊技機（パチンコ機１）の製造工程が簡略化され、製造コストを低減することができる。特に、本発明に係る入賞装置（３０）は、構造が複雑で、可動部材（３７）等を開閉させるためのソレノイド用配線の取り回しを必要とする大入賞口（３２）等を有する入賞装置（３０）であるため、製造工程の簡略化に対する貢献度が高い。
【００１３】
また、弾球遊技機（パチンコ機１）を廃棄する際に、遊技基板（２３）から入賞装置（３０）およびガイドレール（内側ガイドレール２４ａ）を同時に取り外すことができるので、廃棄部材の分別が容易となり、廃棄部材をリサイクルして有効に利用することが可能となる。
【００１４】
また、前記弾球遊技機用入賞装置（３０）において、遊技球を受け入れ易い状態と遊技球を受け入れ難い状態との間で切換可能な可動片（３８）を有するとともに、遊技球が入賞したことを条件として複数種類の図柄を変動表示可能な図柄表示装置（液晶表示装置５０）における図柄の変動表示を開始させる始動入賞口（３３）を、前記ベース基板（３１）と一体的に形成することが可能である。
【００１５】
このような構成からなる弾球遊技機用入賞装置（３０）では、部品点数をさらに減少させることができ、遊技基板（２３）に対する入賞装置（３０）の着脱作業を一層容易に行うことができる。
【００１６】
また、前記弾球遊技機用入賞装置（３０）において、遊技球を受け入れる一般入賞口（３４）と、遊技球の通過を検出する通過ゲート（３５）の少なくとも一方を、前記ベース基板（３１）と一体的に形成することが可能である。
【００１７】
このような構成からなる弾球遊技機用入賞装置（３０）では、部品点数をさらに減少させることができ、遊技基板（２３）に対する入賞装置（３０）の着脱作業を一層容易に行うことができる。
【００１８】
また、本発明に係る弾球遊技機は、透光性領域を有し、前記いずれかの入賞装置（３０）が配設された遊技基板（２３）を備える弾球遊技機（パチンコ機１）であって、
前記遊技基板（２３）の前記透光性領域において表裏方向に貫通する貫通孔（２６）を設け、
前記貫通孔（２６）の背面側に、裏球通路を形成する裏球通路部材（４０）を配設するとともに、
前記貫通孔（２６）の前面側に、前記入賞装置（３０）を配設したことを特徴とするものである。
【００１９】
このような構成からなる弾球遊技機（パチンコ機１）では、入賞装置（３０）およびガイドレール（内側ガイドレール２４ａ）が一体に形成されているため、ガイドレール（内側ガイドレール２４ａ）で囲まれた遊技領域（２１）内の貫通孔（２６）付近において、入賞装置（３０）からガイドレール（内側ガイドレール２４ａ）までを連続した遮蔽領域として、この隠蔽領域により可動部材（３７）等の配線および裏球通路部材（４０）を容易かつ確実に隠蔽することができるので、遊技盤（２０）の見栄えが極めて良好となる。
【００２０】
また、本発明に係る弾球遊技機は、透光性領域を有し、前記いずれかの入賞装置（３０）が配設された遊技基板（２３）を備える弾球遊技機（パチンコ機１）であって、
前記入賞装置（３０）を前記遊技基板（２３）の前面側から配設し、
前記遊技基板（２３）に、前記入賞装置（３０）に入賞した遊技球を受け入れるための開口部（２７）を設けるとともに、前記開口部（２７）内に受け入れられた遊技球を前記遊技基板（２３）の外部へ導くための球通路（座繰り部２８）を形成したことを特徴とするものである。
【００２１】
このような構成からなる弾球遊技機（パチンコ機１）では、遊技基板（２３）に球通路（座繰り部２８）を形成しているので、遊技基板（２３）の背面に裏球通路を設ける必要がなくなる。よって、遊技基板（２３）の背面側のスペースが増加し、遊技基板（２３）の背面側に配設すべき部材の着脱が容易となる。また、遊技基板（２３）の背面側に液晶表示装置（５０）を配設する場合には、遊技基板（２３）と液晶表示装置（５０）との隙間が減少し、この隙間への異物の侵入を防止することができる。したがって、遊技基板（２３）と液晶表示装置（５０）との隙間へ埃が蓄積する可能性が減少するとともに、遊技基板（２３）と液晶表示装置（５０）との隙間へ針金等を侵入させて弾球遊技機（パチンコ機１）を誤動作させるような不正行為を防止することができる。
【００２２】
【発明の実施の形態】
以下、図面を参照して、本発明に係る弾球遊技機用入賞装置および弾球遊技機用遊技盤の実施形態を説明する。なお、以下の説明においては、代表的な弾球遊技機としてパチンコ機を例にとって説明を行う。
【００２３】
図６は、本発明の実施形態に係る入賞装置および遊技盤を用いたパチンコ機の正面図である。
本発明の実施形態に係る入賞装置および遊技盤を用いたパチンコ機１は、図６に示すように、外枠２の上半部に開閉可能に取り付けられたフロントドア３を備えており、その下方には操作部４が設けられている。
【００２４】
操作部４には、遊技に使用するための遊技球を貯留するとともに賞として払い出される遊技球を受け入れるための上皿５と、上皿５からオーバーフローした遊技球を受け入れるための下皿６とが上下に並べて取り付けられている。また、下皿６の右側には遊技者が遊技球の発射操作を行うための発射ハンドル７が設けられており、下皿６の左側には灰皿８が設けられている。さらに、上皿５には、当該パチンコ機１における球貸操作等を行うための操作パネル９が設けられており、上皿５の左右にはそれぞれスピーカ１０が配設されている。
【００２５】
また、フロントドア３の裏側には、遊技盤２０（図１参照）が取り付けられているとともに、遊技盤２０の遊技領域２１を塞ぐためのガラス板（図示せず）が取り付けられている。さらに、遊技領域２１の周囲前方に位置するフロントドア３の、遊技盤２０における遊技領域２１以外の領域に対応する部分は、装飾用ランプ１１，１１，…が設けられた装飾枠２２となっている。
【００２６】
＜入賞装置および遊技盤：第１実施形態＞
図１〜３を参照して、第１実施形態に係る入賞装置および遊技盤を説明する。図１は、第１実施形態に係る遊技盤の正面図、図２は、第１実施形態に係る入賞装置および遊技盤の分解斜視図、図３は、第１実施形態に係る入賞装置および遊技盤の縦断面図である。
【００２７】
フロントドア３の上部前面に取り付けられた遊技盤２０は、図１および図２に示すように、遊技基板２３の表面に、略円弧状の内外一対のガイドレール２４ａ，２４ｂ、障害部材である風車２５および障害釘（図示せず）、入賞装置３０を配設することにより形成されており、内外一対のガイドレール２４ａ，２４ｂで囲まれた略円形の領域が遊技領域２１となっている。
【００２８】
遊技基板２３は、例えばＡＢＳ樹脂等の透光性を有する板状部材からなる。また、上述したように、遊技領域２１の周囲前方に位置するフロントドア３は遊技領域２１より外周側を不透明な部材により形成している。したがって、遊技領域２１内は、遊技基板２３の背面側に配設された液晶表示装置５０（図２参照）の表示が視認可能な透光性領域となっており、遊技領域２１の外周側は、遊技基板２３の背面側に配設された種々の遊技部材が視認不能な隠蔽領域となっている。
【００２９】
内外一対のガイドレール２４ａ，２４ｂおよび入賞装置３０は合成樹脂を射出成型することにより製造されており、特に、入賞装置３０のベース基板３１および内側ガイドレール２４ａは一体に成型されている。
【００３０】
入賞装置３０は、図１に示すように、遊技基板２３に取り付けるベース基板３１を有しており、ベース基板３１の表面には、そのほぼ中央に大入賞口３２を設け、大入賞口３２の上方に始動入賞口３３を設け、大入賞口３２の左右にそれぞれ一般入賞口３４および通過ゲート３５を設け、大入賞口３２の下方に、いずれの入賞口にも入賞しなかった遊技球を遊技領域２１内から排出するためのアウト口３６を設けている。
【００３１】
また、ベース基板３１は、不透光性部材、あるいは透明度が低い部材により形成することが好ましい。ベース基板３１を不透光性部材により形成した場合には、ベース基板３１により、後に詳述する可動部材３７および可動片３８の配線、裏球通路部材４０を容易かつ確実に隠蔽することができるので、遊技盤２０の見栄えが極めて良好となる。また、ベース基板３１を透明度が低い部材、例えば光を拡散させる成分が混入された樹脂等で形成した場合には、ベース基板３１により、遊技盤２０の背面側に配設したＬＥＤ等の光が拡散され、装飾効果を高めることができる。
【００３２】
大入賞口３２は、複数の遊技球を一挙に受け入れ可能な状態と遊技球を受け入れ不能な状態との間で切換可能な可動部材３７を有している。この可動部材３７は、例えば複数種類の特別図柄を変動表示可能な図柄表示装置（液晶表示装置５０）に変動表示される特別図柄の停止表示態様が所定の賞態様を構成した際に、所定時間および所定回数だけ複数の遊技球を一挙に受け入れ可能な状態に切り換えられるようになっている。
【００３３】
始動入賞口３３は、遊技球を受け入れ易い状態と遊技球を受け入れ難い状態との間で切換可能な一対の可動片３８を有しており、遊技球が入賞したことを条件として複数種類の図柄を変動表示可能な図柄表示装置（液晶表示装置５０）における特別図柄の変動表示を開始させるようになっている。この可動片３８は、例えば複数種類の普通図柄を変動表示可能な普通図柄表示装置（図示せず）に変動表示される普通図柄の停止表示態様が所定の賞態様を構成した際に、所定時間および所定回数だけ遊技球を受け入れ易い状態に切り換えられるようになっている。
【００３４】
一般入賞口３４は、遊技球が入賞したことを条件として所定数の賞球を払い出すための入賞口である。
【００３５】
通過ゲート３５は、遊技球が通過したことを条件として普通図柄装置（図示せず）における普通図柄の変動を開始させるための入賞口である。なお、普通図柄表示装置は、液晶表示装置５０に表示される画像により構成することができる。
【００３６】
遊技基板２３には、図２に示すように、遊技基板２３を表裏方向に貫通する貫通孔２６が設けられている。また、遊技基板２３の背面には、図２および図３に示すように、貫通孔２６の背面を覆って裏球通路を形成する裏球通路部材４０が取り付けられている。そして、貫通孔２６の前面に位置するようにして遊技基板２３の前面に入賞装置３０を取り付けることにより、大入賞口３２、始動入賞口３３、一般入賞口３４およびアウト口３６に入球した遊技球を裏球通路へ導くようになっている。この遊技球の流れを、図３中に一点鎖線で示してある。
【００３７】
さらに、遊技基板２３の背面には、図２および図３に示すように、裏球通路部材４０を挟んで２０インチの液晶表示装置５０が配設されている。この液晶表示装置５０は、枠部材５１に支持されている。上述したように、遊技基板２３は透光性を有しているため、遊技基板２３の前面側（遊技者側）から液晶表示装置５０を視認することができる。
【００３８】
なお、図示しないが、可動部材３７および可動片３８はそれぞれソレノイドにより駆動される。各ソレノイドは、入賞装置３０の背面側に取り付けられており、遊技基板２３に入賞装置３０を取り付けた際に貫通孔２６内に収納される。また、各ソレノイドの配線は、遊技基板２３と液晶表示装置５０の隙間に引き回されるが、この際、配線が入賞装置３０に隠れるようにして、遊技者から視認不能とすることが好ましい。
【００３９】
また、図示しないが、内側ガイドレール２４ａおよび外側ガイドレール２４ｂの背面には、取付突起が複数箇所設けてあり、この取付突起を遊技基板２３の前面に設けた取付穴に挿入することにより、内側ガイドレール２４ａおよび外側ガイドレール２４ｂを遊技基板２３に取り付けることができる。
【００４０】
同様に、図示しないが、裏球通路部材４０の前面には、取付突起が複数箇所設けてあり、この取付突起を遊技基板２３の背面に設けた取付穴に挿入することにより、裏球通路部材４０を遊技基板２３に取り付けることができる。
【００４１】
また、図示しないが、入賞装置３０は、取付ネジを用いて遊技基板２３に取り付けられる。
【００４２】
このように、遊技基板２３に設けた取付穴に取付突起を挿入するとともに、入賞装置をネジ止めすることにより、取付基板２３に対して、入賞装置３０、内側ガイドレール２４ａ、外側ガイドレール２４ｂ、および裏球通路部材４０を容易に取り付けることができる。一方、遊技基板２３に設けた取付穴から取付突起を抜き取るとともに、入賞装置の取付ネジを外すことにより、取付基板２３から、入賞装置３０、内側ガイドレール２４ａ、外側ガイドレール２４ｂ、および裏球通路部材４０を容易に取り外すことができる。
【００４３】
＜遊技盤：第２実施形態＞
次に、図４および図５を参照して、本発明の第２実施形態に係る遊技盤を説明する。図４は、第２実施形態に係る入賞装置および遊技盤の分解斜視図、図５は、第２実施形態に係る入賞装置および遊技盤の縦断面図である。
【００４４】
第２実施形態に係る遊技盤６０は、図４および図５に示すように、上記第１実施形態に係る遊技盤２０と比較して、裏球通路の構成が異なっており、その他の構成は、上記第１実施形態に係る遊技盤２０とほぼ同様となっている。
【００４５】
なお、第２実施形態に係る遊技盤６０を正面から見た状態は、第１実施形態に係る遊技盤２０（図１参照）と同様であるため、図示を省略する。また、第１実施形態に係る遊技盤２０と同様の形状を有する部材には、同一の符号を付して詳細な説明を省略する。
【００４６】
第２実施形態に係る遊技盤６０の遊技基板２３には、図４に示すように、遊技基板２３を表裏方向に貫通する開口部２７が設けられており、遊技基板２３の背面側には、この開口部２７の下側に連通して遊技基板２３の底面（図４中、矢印（ア）で示す面）に至る座繰り部２８が形成されている。この座繰り部２８の深さは、遊技球の直径よりも深く、かつ、遊技基板２３の板厚よりも狭くなっている。
【００４７】
そして、開口部２７の前面に位置するようにして遊技基板２３の前面から入賞装置３０を取り付けることにより、大入賞口３２、始動入賞口３３、一般入賞口３４およびアウト口３６に入球した遊技球は、開口部２７内に流入した後、座繰り部２８を通って遊技基板２３の外部へと排出される。この遊技球の流れを、図５中に一点鎖線で示してある。
【００４８】
また、開口部２７内には、入賞装置３０に入賞し、開口部２７内に流入した遊技球が液晶表示装置５０の表示画面に衝突するのを防止するための保護部材７０が取り付けられる。この保護部材７０は、開口部２７の背面から突出しない厚みに形成することが好ましく、これにより遊技基板２３と液晶表示装置５０との隙間を減少させることができる。なお、この保護部材７０は、必須の部材ではなく省略してもよい。
【００４９】
さらに、遊技基板２３の背面には、図４および図５に示すように、他の部材を挟むことなく２０インチの液晶表示装置５０が配設されている。この液晶表示装置５０は、枠部材５１に支持されている。上述したように、遊技基板２３が透光性を有しているため、遊技基板２３の前面側から液晶表示装置５０を視認することができる。
【００５０】
このように、第２実施形態に係る遊技盤６０は、遊技基板２３の背面に、他の部材を挟むことなく液晶表示装置５０が配設されているため、第１実施形態に係る遊技盤と比較して、遊技基板２３と液晶表示装置５０との隙間がほぼ無くなり、隙間への異物の侵入を防止することができる。
【００５１】
なお、図４に示す例では、座繰り部２８を開口部２７から遊技基板２３の底面に至るまで形成したが、開口部２７から遊技基板２３の側面（ただし、開口部２７よりも低い位置）まで形成してもよい。
【００５２】
また、図示しないが、第１実施形態と同様に、可動部材３７および可動片３８を駆動する各ソレノイドは、入賞装置３０の背面側に取り付けられており、遊技基板２３に入賞装置３０を取り付けた際に開口部２７内に収納される。また、各ソレノイドの配線は、遊技基板２３と液晶表示装置５０の隙間に引き回されるが、この際、配線が入賞装置３０に隠れるようにして、遊技者から視認不能とすることが好ましい。
【００５３】
また、遊技基板２３に対する入賞装置３０、内側ガイドレール２４ａ、外側ガイドレール２４ｂの取付方法、およびこれらの取外方法は、第１実施形態と同様である。
【００５４】
＜遊技球の流れ＞
上記第１実施形態および第２実施形態に係る遊技盤２０，６０を備えたパチンコ機１では、遊技者が発射ハンドル７を操作すると、弾発装置（図示せず）により発射勢が調節された遊技球が、内側ガイドレール２４ａおよび外側ガイドレール２４ｂに導かれて遊技領域２１内に発射される。
【００５５】
遊技領域２１内に進入した遊技球は、複数の障害釘（図示せず）や風車２５に弾かれて流下方向が変化しながら遊技領域２１内を流下する。そして、遊技球の一部は、一般入賞口３４、始動入賞口３３、および大入賞口３２のいずれかに入球して裏球通路へ導かれる。また、他の遊技球は、通過ゲート３５を通過し、あるいはいずれの入賞口にも入球せず、かつ通過ゲート３５も通過せずにアウト口３６を介して裏球通路へ導かれる。
【００５６】
＜他の実施形態＞
本発明に係る弾球遊技機用入賞装置および弾球遊技機は、上記実施形態に限定されるものではなく、種々の変更を加えて実施することができる。
【００５７】
すなわち、上記実施形態では、入賞装置および内側ガイドレールを一体に成型しているが、入賞装置、内側ガイドレールおよび外側ガイドレールを一体に成型してもよい。例えば、図１中（イ）で示す部分において、入賞装置３０と外側レール２４ｂとを一体的に成型してもよい。
【００５８】
また、入賞装置に形成する入賞口は、一般入賞口、通過ゲート、始動入賞口、および大入賞口に限定されず、他の入賞口の組合せであってもよい。
【００５９】
また、液晶表示装置のサイズは２０インチに限定されるものではなく、他のサイズの液晶表示装置を用いてもよい。
【００６０】
さらに、本発明に係る入賞装置を適用する弾球遊技機はパチンコ機に限られず、アレンジボール遊技機等の他の弾球遊技機であってもよい。
【００６１】
【発明の効果】
以上説明したように、本発明に係る弾球遊技機用入賞装置は、遊技基板に取り付けるベース基板とガイドレールを一体的に形成しているため、遊技基板の表面に、一体となった入賞装置とガイドレールを取り付けるだけで、遊技盤を製造することができる。このため、遊技盤およびこれを用いた弾球遊技機の製造が容易となり、かつ製造コストを低減することが可能となる。
【００６２】
また、本発明に係る弾球遊技機用入賞装置は、構造が複雑で、可動部材等の配線の取り回しを必要とする大入賞口を有する入賞装置であるため、製造工程の簡略化を促進することができる。
【００６３】
さらに、弾球遊技機を廃棄する際に、遊技基板から入賞装置およびガイドレールを同時に取り外すことができるので、廃棄部材の分別が容易となり、リサイクルに貢献することができる。
【図面の簡単な説明】
【図１】本発明の第１実施形態に係る遊技盤の正面図
【図２】本発明の第１実施形態に係る入賞装置および遊技盤の分解斜視図
【図３】本発明の第１実施形態に係る入賞装置および遊技盤の縦断面図
【図４】本発明の第２実施形態に係る入賞装置および遊技盤の分解斜視図
【図５】本発明の第２実施形態に係る入賞装置および遊技盤の縦断面図
【図６】本発明の実施形態に係る入賞装置を用いたパチンコ機の正面図
【符号の説明】
１  パチンコ機
２  外枠
３  フロントドア
４  操作部
５  上皿
６  下皿
７  発射ハンドル
８  灰皿
９  操作パネル
１０  スピーカ
１１  ランプ
２０  遊技盤（第１実施形態）
２１  遊技領域
２２  装飾枠
２３  遊技基板
２４ａ  内側ガイドレール
２４ｂ  外側ガイドレール
２５  風車
２６  貫通孔
２７  開口部
２８  座繰り部
３０  入賞装置
３１  ベース基板
３２  大入賞口
３３  始動入賞口
３４  一般入賞口
３５  通過ゲート
３６  アウト口
３７  可動部材
３８  可動片
４０  裏球通路部材
５０  液晶表示装置
５１  枠部材
６０  遊技盤（第２実施形態）
７０  保護部材
【図１】
2004248875.tif 000003
【図２】
2004248875.tif 000004
【図３】
2004248875.tif 000005
【図４】
2004248875.tif 000006
【図５】
2004248875.tif 000007
【図６】
2004248875.tif 000008